【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
細長いコネクタであって、
前記コネクタ上の少なくとも１つのケージ内に保持され且つ複数のランプ面上に配置された複数のロック・エレメントを有しており、
前記少なくとも１つのケージは、係合位置と非係合位置の間で、前記複数のランプ面に沿って、前記複数のロック・エレメントを移動させるように移動可能であり、
前記ケージの径方向に配置され、内部に複数のスロットを有したスリーブを有しており、
前記複数のロック・エレメントは、前記非係合位置から前記係合位置に向かって、前記複数のスロットを通って径方向に移動することを特徴とする細長いコネクタ。
【請求項２】
前記複数のスロットは、軸方向に延びており、
前記複数のロック・エレメントは、前記複数のスロット内を径方向に移動するにつれて軸方向に移動し、
及び／または、前記複数のスロットは、前記コネクタ内に前記複数のロック・エレメントを保持するように形成されおり、
任意に、前記複数のスロットの少なくとも一部の幅寸法は、前記複数のロック・エレメントの幅寸法よりも小さい請求項１に記載の細長いコネクタ。
【請求項３】
細長いコネクタであって、
前記コネクタ上の少なくとも１つのケージ内に保持され且つ複数のランプ面上に配置された複数のロック・エレメントを有しており、
前記少なくとも１つのケージは、非係合位置から係合位置に向かって、前記複数のランプ面に沿って、前記複数のロック・エレメントを移動させるように移動可能であり、
前記複数のロック・エレメントは、前記少なくとも１つのケージ内で、さらに別の、切離位置に移動可能であることを特徴とする細長いコネクタ。
【請求項４】
前記複数のロック・エレメントは、前記係合位置から前記非係合位置に向かって、且つ、前記係合位置から前記切離位置に向かって、同じ径方向の向きに移動し、
任意に、前記複数のロック・エレメントは、前記係合位置から前記非係合位置に向かって、且つ、前記係合位置から前記切離位置に向かって、径方向内側へ移動する請求項３に記載の細長いコネクタ。
【請求項５】
前記複数のロック・エレメントは、前記係合位置から前記非係合位置に向かって、且つ、前記係合位置から前記切離位置に向かって、同じ軸方向の向きに移動し、
及び／または、前記少なくとも１つのケージは、前記係合位置及び前記非係合位置への前記複数のロック・エレメントの動きを制限するように、前記コネクタの一部に動作可能に接続されて、動作可能な接続を形成しており、
前記動作可能な接続は、前記切離位置への移動を許容するように、破断可能であり、
任意に、前記少なくとも１つのケージは、リリース・カラーに対して動作可能に接続されており、
及び／または、前記動作可能な接続を破断するには、所定の力を要し、
任意に、テンション・ボルト、テンション・ピン、シア・ボルト、または、シア・ピンによって前記動作可能な接続が提供されている請求項３または４に記載の細長いコネクタ。
【請求項６】
長手方向軸を有する細長いコネクタであって、
前記コネクタ上の複数のケージ内に保持され且つ複数のランプ面上に配置された複数のロック・エレメントを有しており、
前記複数のケージは、係合位置と非係合位置の間で、前記複数のランプ面に沿って、前記複数のロック・エレメントを移動させるように移動可能であり、
前記複数のケージは、互いに対して独立して移動するようになっており、
前記複数のケージは、独立して弾性バイアスがかけられている細長いコネクタ。
【請求項７】
前記複数のランプ面は、前記複数のロック・エレメントが前記非係合位置に位置する下部領域から、前記複数のロック・エレメントが前記係合位置に位置する上部領域への移行面を有しており、
任意に、前記上部領域及び／または前記下部領域は、傾斜している、または、前記複数のケージに対して平行な平面になっている、または、凹部として形成されており、
及び／または、前記複数のランプ面は、前記下部領域が前記コネクタの後方に向かい、且つ、前記上部領域が前記コネクタの前方に向かうように、軸方向に傾斜している請求項１乃至６のいずれか１項に記載のコネクタ。
【請求項８】
前記複数のケージは、軸方向に移動可能であり、
及び／または、前記コネクタの周りに周方向に延びる単一のランプ部によって複数のランプ面が提供されており、
及び／または、前記複数のロック・エレメントは、複数のボールであり、
及び／または、前記複数のロック・エレメントは、前記非係合位置から前記係合位置に向かって、径方向外側へ移動し、径方向へ移動するにつれて、軸方向に前記ランプ面を上がるように配置されており、
及び／または、前記コネクタは、使用時に、孔部の形態の雌部材に挿入され、前記孔部の縁部に前記複数のロック・エレメントが係合する雄部材である請求項１乃至７のいずれか１項に記載のコネクタ。
【請求項９】
前記ケージの１つまたはそれぞれは、前記係合位置に向かって弾性バイアスがかけられており、
任意に、前記弾性バイアスは、バネまたはガス・ストラットによって提供されている請求項１乃至８のいずれか１項に記載のコネクタ。
【請求項１０】
前記複数のロック・エレメントは、少なくとも３つのロック・エレメントであり、
前記少なくとも１つのケージは、少なくとも３つのケージであり、
前記ケージのうち少なくとも２つは、同時に移動するように動作可能に接続されているが、他の少なくとも１つの前記ケージとは、独立して動作するようになっており、
及び／または、前記複数のロック・エレメントは、少なくとも４つのロック・エレメントであり、
前記少なくとも１つのケージは、少なくとも４つのケージであり、
前記ケージのうち少なくとも２つは、同時に移動するように動作可能に接続されているが、他の少なくとも２つの前記ケージとは、独立して動作するようになっており、
前記他の少なくとも２つのケージは、互いに対して、且つ、前記動作可能に接続された前記ケージに対して、独立して動作可能になっており、
及び／または、前記複数のロック・エレメントは、少なくとも６つのロック・エレメントであり、
前記少なくとも１つのケージは、少なくとも６つのケージであり、
前記ケージのうち少なくとも３つは、同時に移動するように動作可能に接続されているが、他の少なくとも３つの前記ケージとは、独立して動作するようになっており、
前記他の少なくとも３つのケージは、互いに対して、且つ、前記動作可能に接続された前記ケージに対して、独立して動作可能になっており、
及び／または、前記複数のロック・エレメントは、少なくとも８つのロック・エレメントであり、
前記少なくとも１つのケージは、少なくとも８つのケージであり、
前記ケージのうち少なくとも４つは、同時に移動するように動作可能に接続されているが、他の少なくとも４つの前記ケージとは、独立して動作するようになっており、
前記他の少なくとも４つのケージは、互いに対して、且つ、前記動作可能に接続された前記ケージに対して、独立して動作可能になっており、
及び／または、前記複数のロック・エレメントのうちいくつかは、１以上のケージによって動作可能に接続され、他の前記複数のロック・エレメントは、独立して移動するように配置されており、
前記独立したロック・エレメントと、前記動作可能に接続されたロック・エレメントは、前記コネクタの周りに交互に存在する請求項１乃至９のいずれか１項に記載のコネクタ。
【請求項１１】
前記複数のロック・エレメントは、前記コネクタの周りに周方向に間隔を空けた少なくとも１つの列に配置されており、
任意に、前記コネクタは、前方及び後方を有しており、
前記複数のロック・エレメントは、前方列及び後方列に配置されており、
任意に、前記ケージの１つまたはそれぞれは、前方及び後方に延び、軸方向に移動可能であり、
及び／または、前記前方列に含まれる前記複数のロック・エレメントは、前記後方列に含まれる前記複数のロック・エレメントに対して、軸方向にオフセットされている請求項１乃至１０のいずれか１項に記載のコネクタ。
【請求項１２】
前記前方列に含まれる複数のロック・エレメントが、動作可能に接続されて同時に移動し、前記後方列に含まれる複数のロック・エレメントが、独立して動作可能であるように、前記複数のロック・エレメントが配置されており、
及び／または、前記複数のケージに動作可能に接続され、且つ、前記複数のケージを、前記係合位置から前記非係合位置に移動させるようになっている解放手段を備えており、
任意に、前記解放手段は、リリース・カラーであり、
任意に、前記リリース・カラーは、前記複数のケージの後方に備えられており、且つ、複数のピンによって接続されており、
前記複数のピンは、前記リリース・カラーの後方を貫通し、且つ、延長部を備えており、前記リリース・カラーが後方へ動くことによって、前記複数のピンが後方に動き、前記ケージが後方に動き、このことにより、前記複数のロック・エレメントが前記非係合位置に移動するが、前記ケージの後方への動きは、前記リリース・カラーを動かすことなく、前記リリース・カラー内を通って動くように単純に前記複数のピンを動かすようになっており、
任意に、前記複数のピンは、前記解放手段に切り離し可能に接続されている請求項１乃至１１のいずれか１項に記載のコネクタ。
【請求項１３】
前記複数のケージ及び前記複数のロック・エレメントが取り付けられた中空体を備えており、
任意に、前記複数のランプ面は、前記中空体内に形成されており、
及び／または、前記中空体内を通って前記中空体から延び出るケーブルの過度な曲げを避けるための曲げ補強部材に接続する手段を有したノーズ部を備えており、
任意に、前記ノーズ部に接続された曲げ補強部材を備えており、
任意に、前記中空体の後方から入って前記中空体内を通るケーブルの過度な曲げを避けるための曲げ補強部材に接続する手段を有したテール部を備えている請求項１乃至１２のいずれか１項に記載のコネクタ。
【請求項１４】
支持ピラーに当接するように配置された円錐台状の停止面を有するハウジングを備えている請求項１乃至１３のいずれか１項に記載のコネクタ。
【請求項１５】
海中コネクタであり、
任意に、海中ケーブルを風力発電装置に接続するための海中コネクタである請求項１乃至１４のいずれか１項に記載のコネクタ。